(57)【要約】      （修正有）【課題】複数の物品を運搬するカートン、及びカートンを形成するブランクを提供する。【解決手段】トップパネルと、トップパネルに折り曲げ可能に接続される第１のサイドパネル及び第２のサイドパネルと、第１のボトムパネルが複数の雌係止用開口部６３を備えると共に複数の開口フラップ６８を有し、開口フラップ６８のそれぞれが、雌係止用開口部６３のそれぞれに隣接し、それぞれの第１の弧状折り線６６で第１のボトムパネルにそれぞれ折り曲げ可能に接続される、第１のサイドパネルに折り曲げ可能に接続される第１のボトムパネルと、第２のボトムパネルが複数の雄係止用突起部７２を備え、雄係止用突起部７２のそれぞれが、それぞれの第２の弧状折り線７６で第２のボトムパネルにそれぞれ折り曲げ可能に接続される、第２のサイドパネルに折り曲げ可能に接続される第２のボトムパネルとを備える。【選択図】図２
0003192258.tif 000002
【実用新案登録請求の範囲】
【請求項１】
複数の物品を運搬するカートンであって、
トップパネルと、
該トップパネルに折り曲げ可能に接続される第１のサイドパネルと、
該トップパネルに折り曲げ可能に接続される第２のサイドパネルと、
該第１のサイドパネルに折り曲げ可能に接続される第１のボトムパネルであって、該第１のボトムパネルは複数の雌係止用開口部を備えると共に複数の開口フラップを有し、該開口フラップのそれぞれは、該雌係止用開口部のそれぞれに隣接し、それぞれの第１の弧状折り線で該第１のボトムパネルにそれぞれ折り曲げ可能に接続される、第１のボトムパネルと、
該第２のサイドパネルに折り曲げ可能に接続される第２のボトムパネルであって、該第２のボトムパネルは複数の雄係止用突起部を備え、該雄係止用突起部のそれぞれは、それぞれの第２の弧状折り線で該第２のボトムパネルにそれぞれ折り曲げ可能に接続される、第２のボトムパネルと、
を備える、複数の物品を運搬するカートン。
【請求項２】
該開口フラップのそれぞれは、該第１のボトムパネルにある２つの切れ目と該２つの切れ目の間に延在するスリットとによって少なくとも部分的に画定される、請求項１に記載のカートン。
【請求項３】
該第１のボトムパネルは、概ね横方向に延在する横方向折り線で該第１のサイドパネルに折り曲げ可能に接続され、該２つの切れ目は、該横方向折り線に対して斜めである、請求項２に記載のカートン。
【請求項４】
該開口フラップのそれぞれは、該雌係止用開口部からの該雄係止用突起部の係脱を防止するようにそれぞれの雄係止用突起部に対して付勢される、請求項３に記載のカートン。
【請求項５】
該スリットは、該切れ目を越えて延在する一部をさらに備え、該雄係止用突起部と、該スリットの一部により画定された該雌係止用開口部のそれぞれとの係合よって、該雄係止用突起部は該雌係止用開口部からの係脱を防止される、請求項４に記載のカートン。
【請求項６】
該雄係止用突起部のそれぞれは、首部から横方向外側に延在する２つの肩部を備え、該肩部のそれぞれは、該切れ目を越えて延在する該スリットの一部のそれぞれにより画定された該雌係止用開口部のそれぞれと係合する、請求項５に記載のカートン。
【請求項７】
該第２の弧状折り線は、該雄係止用突起部の各首部にわたって延在する、請求項６に記載のカートン。
【請求項８】
該第２の弧状折り線は、雄係止用突起部のそれぞれの全幅にわたって延在する、請求項１に記載のカートン。
【請求項９】
該第２の弧状折り線は、少なくとも１つの切れ目と、少なくとも第１の折り線と第２の折り線とを備え、該第１の折り線は、該切れ目の第１の端部から延在し、該第２の折り線は、該切れ目の第２の端部から延在する、請求項８に記載のカートン。
【請求項１０】
該第２の弧状折り線は、該雄係止用突起部のそれぞれの各縁部から離間している各端部を有する、請求項１に記載のカートン。
【請求項１１】
該第２の弧状折り線は、切れ目と、該切れ目の第１の端部から延在する第１の折り線と、該切れ目の第２の端部から延在する第２の折り線とを備える、請求項１０に記載のカートン。
【請求項１２】
該雄係止用突起部は、該第１のボトムパネルと該第２のボトムパネルとに対して運搬具の内側で概ね直立位置にある、請求項５に記載のカートン。
【請求項１３】
該開口フラップは、該ボトムパネルに対して上方に折り曲げられ、該開口フラップの自由縁部が該雄係止用突起部に接触して、該雄係止用突起部を該直立位置に維持するのを助ける、請求項１２に記載のカートン。
【請求項１４】
該開口フラップは、該雄係止用突起部と接触して該雄係止用突起部を該直立位置に保持するのを助けるタブを該開口フラップの該自由縁部に備える、請求項１３に記載のカートン。
【請求項１５】
複数の物品を運搬するカートンを形成するブランクであって、
トップパネルと、
該トップパネルに折り曲げ可能に接続される第１のサイドパネルと、
該トップパネルに折り曲げ可能に接続される第２のサイドパネルと、
該第１のサイドパネルに折り曲げ可能に接続される第１のボトムパネルであって、該第１のボトムパネルは複数の雌係止用開口部を備えると共に複数の開口フラップを有し、該開口フラップのそれぞれは、該雌係止用開口部のそれぞれに隣接し、それぞれの第１の弧状折り線で該第１のボトムパネルにそれぞれ折り曲げ可能に接続される、第１のボトムパネルと、
該第２のサイドパネルに折り曲げ可能に接続される第２のボトムパネルであって、該第２のボトムパネルは複数の雄係止用突起部を備え、該雄係止用突起部のそれぞれは、それぞれの第２の弧状折り線で該第２のボトムパネルにそれぞれ折り曲げ可能に接続される、第２のボトムパネルと、
を備える、複数の物品を運搬するカートンを形成するブランク。
【請求項１６】
該開口フラップのそれぞれは、該第１のボトムパネルにある２つの切れ目と該２つの切れ目の間に延在するスリットとによって少なくとも部分的に画定される、請求項１５に記載のブランク。
【請求項１７】
該第１のボトムパネルは、概ね横方向に延在する横方向折り線で該第１のサイドパネルに折り曲げ可能に接続され、該２つの切れ目は、該横方向折り線に対して斜めである、請求項１６に記載のブランク。
【請求項１８】
該スリットは該切れ目を越えて延在する一部をさらに備え、該雄係止用突起部は首部から横方向外側に延在する２つの肩部を備え、該肩部は、該切れ目を越えて延在する該スリットの一部のそれぞれにより画定された該雌係止用開口部のそれぞれとの係合によって該雌係止用開口部からの係脱を防止するためのものである、請求項１７に記載のブランク。
【請求項１９】
該第２の弧状折り線は、該雄係止用突起部の各首部にわたって延在する、請求項１８に記載のブランク。
【請求項２０】
該第２の弧状折り線は、該雄係止用突起部のそれぞれの全幅にわたって延在する、請求項１５に記載のブランク。
【請求項２１】
該第２の弧状折り線は、少なくとも１つの切れ目と、少なくとも第１の折り線と第２の折り線とを備え、該第１の折り線は、該切れ目の第１の端部から延在し、該第２の折り線は、該切れ目の第２の端部から延在する、請求項２０に記載のブランク。
【請求項２２】
該第２の弧状折り線は、該雄係止用突起部のそれぞれの各縁部から離間している各端部を有する、請求項１５に記載のブランク。
【請求項２３】
該第２の弧状折り線は、切れ目と、該切れ目の第１の端部から延在する第１の折り線と、該切れ目の第２の端部から延在する第２の折り線とを備える、請求項２２に記載のブランク。
【請求項２４】
該第１のボトムパネルは、折り線で該第１のサイドパネルに折り曲げ可能に接続され、それぞれの第１の弧状折り線は、第１の遠位端と、第２の遠位端と、該第１の遠位端と該第２の遠位端との間の中間部分とを備え、該中間部分が該折り線から第１の距離で位置付けられ、且つ該第１の遠位端と該第２の遠位端とは該折り線から第２の距離で配置されるように、それぞれの第１の弧状折り線は湾曲の半径を有し、該第１の距離は該第２の距離よりも大きい、請求項１に記載のカートン。
【請求項２５】
該開口フラップのそれぞれは、該第１のボトムパネルの２つの切れ目と該２つの切れ目の間に延在するスリットとによって少なくとも部分的に画定され、該２つ切れ目のそれぞれは概ね該折り線に向って延在し、それぞれの第１の弧状折り線は概ねそれぞれの切れ目の間を延在し、それにより第１の遠位端と第２の遠位端とのそれぞれが該２つの切れ目のそれぞれ１つに概ね隣接し、且つ該中間部分は該第１の遠位端と該第２の遠位端とのそれぞれよりも概ね該スリットに近接している、請求項２４に記載のカートン。
【考案の詳細な説明】
【技術分野】
【０００１】
本開示は、概して、飲料容器又は他のタイプの物品を保持して提供する運搬具用の係止部に関する。
【背景技術】
【０００２】
［関連出願の相互参照］
本願は、２００８年１０月１４日付けで出願された米国仮特許出願第６１／１９６，０５５号及び２００８年１２月５日付けで出願された米国仮特許出願第６１／２０１，０４７号に対し優先権を主張する。
【０００３】
［参照による援用］
２００８年１０月１４日付けで出願された米国仮特許出願第６１／１９６，０５５号及び２００８年１２月５日付けで出願された米国仮特許出願第６１／２０１，０４７号は、全ての内容がここに参照されることで援用される。
【考案の概要】
【考案が解決しようとする課題】
【０００４】
本考案は、複数の物品を運搬するカートン、及びカートンを形成するブランクを提供することを目的とする。
【課題を解決するための手段】
【０００５】
概して、本開示の一態様は、複数の物品を運搬するカートンに関する。カートンは、トップパネルと、当該トップパネルに折り曲げ可能に接続される第１のサイドパネルと、当該トップパネルに折り曲げ可能に接続される第２のサイドパネルと、当該第１のサイドパネルに折り曲げ可能に接続される第１のボトムパネルとを備える。第１のボトムパネルは、複数の雌係止用開口部を備えると共に複数の開口フラップを有する。開口フラップのそれぞれは、雌係止用開口部のそれぞれに隣接し、それぞれの第１の弧状折り線で第１のボトムパネルにそれぞれ折り曲げ可能に接続される。第２のボトムパネルが第２のサイドパネルに折り曲げ可能に接続される。当該第２のボトムパネルは、複数の雄係止用突起部を備え、雄係止用突起部のそれぞれは、それぞれの第２の弧状折り線で第２のボトムパネルにそれぞれ折り曲げ可能に接続される。
【０００６】
別の態様では、本開示は、概して、複数の物品を運搬するカートンを形成するブランクに関する。ブランクは、トップパネルと、当該トップパネルに折り曲げ可能に接続される第１のサイドパネルと、当該トップパネルに折り曲げ可能に接続される第２のサイドパネルと、当該第１のサイドパネルに折り曲げ可能に接続される第１のボトムパネルとを備える。第１のボトムパネルは、複数の雌係止用開口部を備えると共に複数の開口フラップを有する。開口フラップのそれぞれは、雌係止用開口部のそれぞれに隣接し、それぞれの第１の弧状折り線で第１のボトムパネルにそれぞれ折り曲げ可能に接続される。第２のボトムパネルが第２のサイドパネルに折り曲げ可能に接続される。第２のボトムパネルは、複数の雄係止用突起部を備える。雄係止用突起部のそれぞれは、それぞれの第２の弧状折り線で第２のボトムパネルにそれぞれ折り曲げ可能に接続される。
【考案の効果】
【０００７】
本考案によれば、複数の物品を運搬するカートン、及びカートンを形成するブランクを提供することができる。
【０００８】
図面の全体を通して対応する部分は、対応する参照符号で示される。
【図面の簡単な説明】
【０００９】
【図１】本開示の第１の実施形態による運搬具を形成するために使用されるブランクの外側表面の平面図である。
【図２】図１の雄突起部及び雌係止用開口部を示す。
【図３Ａ】図１のブランクから形成される運搬具の上面斜視図である。
【図３Ｂ】図１のブランクから形成される運搬具の底面斜視図である。
【図４】本開示の第２の実施形態による運搬具を形成するために使用されるブランクの外側表面の平面図である。
【図５】図４のブランクが運搬具に形成されているところを示す。
【図６】図４のブランクが運搬具に形成されているところを示す。
【図７】図４のブランクが運搬具に形成されているところを示す。
【図８】キャリアの内側部分の一部を示す部分図である。
【図９】噛み合った第１のボトムパネル及び第２のボトムパネルを有する運搬具の内側を示す部分図である。
【図１０】噛み合った第１のボトムパネル及び第２のボトムパネルを有する運搬具の内側を示す部分図である。
【考案を実施するための形態】
【００１０】
典型的実施形態の詳細説明
本開示は、概して、容器、瓶、缶等の物品を収容するカートン、運搬具、パッケージ、容器等の多様な機能に関する。当該物品は、例えば、食品及び飲料製品を包装するために使用できる。当該物品は、特定の食料品又は飲料品を包装するのに適した組成の材料から作ることが可能であり、材料には、アルミニウム及び／または他の金属、ガラス、ＰＥＴ、ＬＤＰＥ、ＬＬＤＰＥ、ＨＤＰＥ、ＰＰ、ＰＳ、ＰＶＣ、ＥＶＯＨ、及びナイロンなどのプラスチック等、又はそれらの任意の組み合わせを含むが、これらに限定されない。
【００１１】
本開示によるカートン又は運搬具は、いかなる形状の物品も収容することができる。本開示の範囲を限定するためではなく、説明目的のために、以下の詳細な説明では、運搬具の実施形態に配置される飲料容器（例えば、アルミニウム飲料缶）について記載する。本明細書において、「下部」、「ボトム」、「上部」、及び「トップ」という用語は、完全に組み立てられて直立したカートンに関して決定される配置を示す。
【００１２】
図１は、本開示の一実施形態によるブランク３の外側表面２の平面図であり、図３Ａ及び図３Ｂに示されている運搬具を形成するために使用される。当該運搬具を使用して、容器Ｃ等の複数の物品を収容することができる。容器Ｃは飲料缶であってもよく、ブランク３は、６つの容器を２×３構成の単一層で収容する運搬具を形成するようなサイズとされている。しかしながら、ブランク３及び／又は運搬具は、異なる容量又は同じ容量の容器を単一層以上及び／又は異なる行／列の配列（例えば、１×６、２×６、２×４、２×２、２×６×２、２×４×２、２×９等）にて保持するようなサイズとされ、形成されることが理解される。図示された実施形態では、運搬具は、概して、容器を覆う開口端部を有する（例えば、運搬具は、ラップアラウンド型キャリアと呼ばれ得る）。ブランク３は、２００８年７月２５日付けで出願された国際出願第ＰＣＴ／ＵＳ０８／７１１３４号に示されているブランクと同様であり、当該出願の全ての内容は、ここに参照されることで援用される。運搬具は、端部がエンドフラップ（図示せず）又は他の閉じ機構等によって、少なくとも部分的に閉じられるような他の形状及び配置にすることもできる。さらに、ブランク３は、２００９年９月２３日付けで発行された米国特許第７，４２７，０１０号に示されているブランクと同様であってもよく、当該特許の全ての内容は、ここに参照されることで援用される。
【００１３】
ブランク３は、長手方向軸Ｌ１及び横方向軸Ｌ２を有する。図示された実施形態では、ブランク３は、第１の横方向折り線２１で第１のサイドパネル２０に折り曲げ可能に接続されるトップパネル１０と、第２の横方向折り線３１で第１のサイドパネル２０に折り曲げ可能に接続される第１のボトムパネル３０と、第３の横方向折り線４１でトップパネル１０に折り曲げ可能に接続される第２のサイドパネル４０と、第４の横方向折り線５１で第２のサイドパネル４０に折り曲げ可能に接続される第２のボトムパネル５０とを備える。図示された実施形態では、第１のボトムパネル３０は、横方向折り線３３及び３１によって画定される第１の傾斜パネル３２を含む。本開示の範囲から逸脱することなく、ブランク３は、パネル１０、２０、３０、４０、５０のそれぞれに接続される前側ガセットパネル及び／又は後側ガセットパネルを含むことができる。ガセットパネルは、２００６年２月２８日付けで出願された米国特許出願第１１／３６４，２４４号に開示されているタックインパネル及び保持パネルと同様のタックインパネル５３、５５及び保持パネル５７、５９を含んでいてもよく、当該出願の全ての内容はここに参照されることで援用され、又は本開示から逸脱することなく、タックインパネル及び保持パネルを省くこともできる。
【００１４】
第１のボトムパネル３０は、雌係止用開口部６３を形成するスリット６２を含む。スリット６２のそれぞれが、概して、ブランクの横方向Ｌ２に横断的に延在し、スリットから折り線３１に向かって概して延在する２つの離間された切れ目６４と協働する。図示された実施形態では、スリット６２は、直線状ではなく複数の曲がり目を含むが、本開示から逸脱することなく、スリットは他の形状にすることもできる。図示された実施形態に示されているように、切れ目６４は直線状であり、長手方向軸Ｌ１及び横方向軸Ｌ２に対して傾斜しているが、切れ目６４は他の形状にすることもできる。各切れ目６４の間には湾曲折り線６６が延在する。図示された実施形態では、折り線６６は弧状であるが、本開示から逸脱することなく、当該折り線は他の形状にすることもできる。折り線６６、切れ目６４、及びスリット６２は、各雌係止用開口部６３のための折り曲げ可能フラップ６８（概して「開口フラップ」）を形成する。折り曲げ可能フラップ６８はそれぞれ、各フラップの自由縁部にタブ６９を含む。折り曲げ可能フラップ６８が第１のボトムパネル３０の残りの部分から面外に折り曲げられると、各雌係止用開口部６３が形成される。本開示から逸脱することなく、雌係止用開口部６３の折り曲げ可能フラップ６８又は他の機能部は、他の形状、配置、及び／又は構成にすることもできる。
【００１５】
第２のボトムパネル５０は、各雌係止用開口部６３に受け入れられるための形状の雄係止用突起部７２を含む。一実施形態では、各雄係止用突起部７２は、係止用突起部の狭小首部７７にわたって延在する弧状折り線７６で第２のボトムパネル５０に折り曲げ可能に接続される。雄係止用突起部７２は、狭小首部７７からそれぞれ横方向外側に延在する肩部７８を有する。本開示から逸脱することなく、雄係止用突起部７２及び折り線７６は、他の形状、配置、及び／又は位置決めにすることもできる。
【００１６】
ブランク３から形成される運搬具は、雌係止用開口部６３に挿入され得る雄係止用突起部７２を含む係止機能部を有する。雄係止用突起部７２が雌係止用開口部６３に挿入されると、折り曲げ可能フラップ６８は、開口部に突起部を受け入れしやすくするように位置決めされる。雄係止用突起部７２がスリット６２に挿通されると、突起部の肩部７８は、切れ目６４を越えて延在するスリットの一部と係合して、係止用突起部が抜けるのを防止する。折り曲げ可能フラップ６８は、雄係止用突起部６２に対しても付勢されて、係止用突起部と各雌開口部６３との係脱を防止する。
【００１７】
図２に示されているように、スリット６２は横方向に全長Ｄ１を有し、折り線６６は半径Ｒ１を有する。雄係止用突起部７２は、横方向に肩部７８にわたって測定された最大幅Ｄ２を有し、雄係止用突起部は、横方向に首部７７にわたって測定された最小幅Ｄ３を有する。雄係止用突起部７２の首部を含む折り線７６は、半径Ｒ２を有する。ここで示される寸法情報は、本開示の一実施形態を示すものであり、本開示の範囲を制限する意図はない。本開示から逸脱することなく、雄係止用突起部７２及び雌係止用開口部６３はそれぞれ、ここで述べられたもの以外の寸法を有することができる。
【００１８】
ブランク３は、上記で参照したＰＣＴ出願‘１３４号に開示されているブランクと同様であってもよく、又は他の運搬具を形成するために使用されるブランクと同様の構造及び機能を有していてもよい。例えば、ブランク３は、米国特許第５，４４３，２０３号、同第５，４８５，９１５号、同第５，７８２，３４３号、同第６，３７８，７６５号、同第６，９８８，６１７号、同第７，１７５，０２０号、及び同第７，４２７，０１０号に開示されているブランク、カートン、運搬具、パッケージ等と同様の構造、機能、用途等を有していてもよく、各上記参考文献の全ての開示内容は、ここに参照されることで援用される。本開示の範囲から逸脱することなく、ブランク３は、他の機能、構造、役割等を有していてもよく、代替的な機能、構造、役割等を有する運搬具、カートン、ブランク、及び／又はパッケージを形成するためのものであってもよい。
【００１９】
図４〜図１０は、第１の実施形態と同様の機能部を有する本開示の第２の実施形態のブランク１０３を示している。したがって、実施形態の同様又は同一の機能部には同一又は同様の参照符号が与えられている。ブランク１０３は、カートン又は運搬具１０５（図１０）を形成するためのものである。ブランク１０３は、弧状折り線１７６で第２のボトムパネル５０に折り曲げ可能に接続される雄係止用突起部１７２を含む。第２の実施形態では、弧状折り線１７６は、突起部のうち肩部１７８に隣接する首部、すなわち狭小部１７７を形成する雄係止用突起部１７２の各縁部から内側に離間している。すなわち、弧状折り線１７６は、雄係止用突起部１７２の首部１７７にわたって完全に延在してはいない。図示された実施形態では、弧状折り線１７６は、切れ目線１８１を備え、２つの折り線１８３が切れ目線の両端部のそれぞれから延在している。本開示から逸脱することなく、弧状折り線１７６の１つ又は複数は、他の形で形成されてもよい（例えば、連続した折り線、連続した切れ目線、又は２つの切れ目線及び１つの折り線等から）。
【００２０】
第２の実施形態では、雌係止用開口部１６３は、第２の実施形態の係止用開口部が、第１の実施形態のそれぞれの機能部と同様のスリット１６２、切れ目１６４、湾曲折り線１６６、折り曲げ可能フラップ１６８、及びタブ１６９を備えるという点で、第１の実施形態の雌係止用開口部６３と同一である。本開示の範囲から逸脱することなく、雌係止用開口部１６３は、他の形状、配置、及び／又は構成にすることもできる。
【００２１】
図５〜図１０に示されているように、運搬具１０５は、第１のボトムパネル３０及び第２のボトムパネル５０を重ね合わせ、雄係止用突起部１７２を雌係止用開口部１６３に挿入することによって、ブランク１０３から形成される。図６及び図７に示されているように、雄係止用突起部１７２は、雄係止用突起部が第２のボトムパネル５０及び第１のボトムパネル３０に対して、概して、垂直であるように、弧状折り線１７６で折り曲げられる。雄係止用突起部１７２が、雌係止用開口部１６３の上側に位置決めされ、雄係止用突起部の前縁部がスリット１６２に挿通されるように矢印Ａ１の方向に動かされる。雄係止用突起部１７２の前縁部が、折り曲げ可能フラップ１６８に押し当たり、当該折り曲げ可能フラップを弧状折り線１６６で内側に折り曲げる。肩部１７８が各スリット１６２を通過するまで、雄係止用突起部１７２が開口部１６３を通してさらに進められる。図７に示されているように、雄係止用突起部１７２の完全挿入位置では、弧状折り線１７６がスリット１６２に、概して、隣接する。本開示から逸脱することなく、雄係止用突起部１７２は、他の位置決めステップ又は代替的な機能及び／又は配置によって雌係止用開口部１６３と相互作用し係合してもよい。
【００２２】
図８〜図１０に示されているように、雄係止用突起部１７２は、折り曲げ可能フラップ１６８を各雄係止用突起部と係合させることにより、第１のボトムパネル３０及び第２のボトムパネル５０に対して運搬具１０５の内側で、概して、直立位置に保持される。一実施形態では、折り曲げ可能フラップ１６８がボトムパネル３０に対して上方に折り曲げられ、折り曲げ可能フラップの自由縁部が雄係止用突起部１７２に接触して、雄係止用突起部を直立位置に維持するのを助ける。折り曲げ可能フラップ１６８は、雄係止用突起部１７２を直立位置に保持するのを助けるように、雄係止用突起部と接触しやすい形状のタブ１６９をフラップの自由縁部に備える。
【００２３】
運搬具１０５に容器Ｃが充填された後、第１のボトムパネル３０が矢印Ａ２の方向に動かされて第２のボトムパネル５０が矢印Ａ３の方向に動かされることで、ボトムパネル３０、５０が離れるように動かされる。運搬具が容器の周りにきつく巻き付くか又は嵌まるように、ボトムパネル３０、５０の移動は、運搬具１０５の充填期間におけるサイドパネル２０、４０の外側への相対移動によって引き起こされる。代替的に、ボトムパネル３０、５０の一方のみが各方向Ａ２、Ａ３に動かされることもできる。ボトムパネル３０、５０がその最終的な充填向きに位置決めされると（図８）、肩部１７８が第１のボトムパネル３０の一部に接触するように、肩部が第１のボトムパネルの切れ目１６２と位置ずれする。雄係止用突起部１７２は、第１のボトムパネル３０の当該一部への肩部１７８の干渉によって「係止」されて雌開口部１６３から抜けるのを防止される。本開示から逸脱することなく、雄係止用突起部１７２は、ブランク１０３の態様及び機能部を他の位置決め方法によって雌係止用開口部１６３と係止させ又は係合させることができる。
【００２４】
概して、ブランクは、通常の紙よりも重く硬質であるような厚さの厚紙で構成され得る。ブランクは、ボール紙等の他の材料、又はカートンが少なくとも、概して、上記に記載のように機能できるのに適した特性を有する任意の他の材料で作成することもできる。ブランクは、例えば粘土性（クレー）コーティングによりコーティングすることができる。そして、粘土性（クレー）コート上には、生産物、宣伝、及び他の情報やイメージを印刷してもよい。ブランクに印刷されている情報を保護するために、ブランクをワニスでコーティングすることもできる。ブランクの片面又は両面を、例えば防湿層でコーティングしてもよい。ブランクは、選択されたパネル又はパネルセクションにおいて、１つ又は複数のシート状材料を積層又はコーティングすることもできる。
【００２５】
一例として、引き裂き線は、所望の弱化線に沿って材料に部分的に延在するスリット、並びに／又は所望の弱化線に沿って材料に部分的に延在する一連の離間したスリット及び／若しくは材料を貫通する一連の離間したスリット、又はこれらの機能の種々の組み合わせを含み得る。より具体的な例としては、１つのタイプの引き裂き線は、引き裂き線を挟んで材料を通常は一時的に接続するために刻み目（例えば、ブリッジにやや似た材料の小片）が間に画定されるように隣接するスリットをわずかに離間させた、材料を貫通する一連の離間したスリットの形態である。刻み目は、引き裂き時に引き裂き線に沿って破断される。刻み目は通常、引き裂き線において比較的わずかな割合を占めるものであり、代替的に、引き裂き線が連続した切れ線であるように刻み目を引き裂き線から除いたり、引き裂き線上で破っておくことができる。すなわち、引き裂き線のそれぞれを連続したスリット等で置き換えることは、本開示の範囲内にある。例えば、本開示から逸脱することなく、切れ線は、連続したスリットであってもよく、又はスリットよりも広いものであってもよい。
【００２６】
例示的な実施形態によれば、折り線は、必ずしも直線状であることなく、それに沿って容易に折り曲げやすい弱化した形状であっても、十分な線状とすることができる。本開示の範囲を狭めるためではないが、より詳細には、折り線は、所望の弱化線に沿って材料に圧潰部分又は窪み部分を作る鈍いスコアリングナイフ等で形成される線等のスコア線、所望の弱化線に沿って材料に部分的に延在する切れ目、及び／若しくは所望の弱化線に沿って材料に部分的に延在し、及び／若しくは材料を貫通する一連の切れ目、並びにこれらの機能の種々の組み合わせを含む。折り線を形成するために切れ目が使用されている場合、通常、切れ目は、道理をわきまえたユーザーが、誤って、折り線を引き裂き線とみなすほど過度なものとはしない。
【００２７】
上記の実施形態は、カートンの実施形態の組み立て中に糊付けによって互いに接着される１つ又は複数のパネルを有するものとして説明されている場合がある。「糊付け」という用語は、カートンパネルを所定位置に固定するのに一般的に用いられるあらゆる種類の接着方法を包含することが意図される。
【００２８】
本開示の上記説明は、種々の実施形態を例示及び説明するものである。本開示の範囲から逸脱することなく、種々の変更を上記構成内でなし得るので、上記説明に含まれるか又は添付図面に示されているすべての事項が、限定的な意味ではなく例示として解釈されることが意図される。さらに、本開示の範囲は、上述の実施形態の種々の変更形態、組み合わせ、変形形態等をカバーする。さらに、本開示は、選択された実施形態のみを図示及び説明しているが、種々の他の組み合わせ、変更形態、及び環境が本明細書で述べられているような本開示の範囲内にあり、上記教示と同等であり、かつ／又は関連技術分野の技術若しくは知識内にある。さらに、各実施形態の一定の機能及び特徴を、選択的に交換して、本開示の他の説明された実施形態又は説明されていない実施形態に適用することができる。
【符号の説明】
【００２９】
３      ブランク
１０    トップパネル
２０    第１のサイドパネル
３０    第１のボトムパネル
４０    第２のサイドパネル
５０    第２のボトムパネル
６３    雌係止用開口部
７２    雄係止用突起部
１０３  ブランク
１６３  雌係止用開口部
１７２  雄係止用突起部
【図１】
0003192258.tif 000003
【図２】
0003192258.tif 000004
【図３Ａ】
0003192258.tif 000005
【図３Ｂ】
0003192258.tif 000006
【図４】
0003192258.tif 000007
【図５】
0003192258.tif 000008
【図６】
0003192258.tif 000009
【図７】
0003192258.tif 000010
【図８】
0003192258.tif 000011
【図９】
0003192258.tif 000012
【図１０】
0003192258.tif 000013